(57)【要約】【課題】眩しさが発生せず、眺める方向に従い光の明るさに差が生じず、かつインテリア的な効果に優れたＬＥＤ照明装置を提供する。【解決手段】ＬＥＤ照明装置は、外部へ光を照射するＬＥＤ、ＬＥＤが下面側に備えられながら凸形状に形成され、下面側を介しＬＥＤから入射された光を外側へ拡散させる第１レンズ、及び第１レンズの外側に備えられながら、内面に第１レンズを介し拡散された光を乱反射させる粗面が形成された第２レンズを含む。【選択図】図４
2010114059.tif 000002
【特許請求の範囲】
【請求項１】
外部へ光を照射するＬＥＤ、
前記ＬＥＤが下面側に備えられながら凸形状に形成され、前記下面側を介し前記ＬＥＤから入射された光を外側へ拡散させる第１レンズ、及び
前記第１レンズの外側に備えられながら、内面に前記第１レンズを介し拡散された光を乱反射させる粗面が形成された第２レンズ
を含むＬＥＤ照明装置。
【請求項２】
前記第１レンズは、前記ＬＥＤから照射された光が入射される第１レンズの底面、前記第１レンズの底面から上方へ延長されるとともに、前記第１レンズの底面の中心部で前記第１レンズの底面と直交する線からの水平距離が上方に行くほど減少する形態を有する第１レンズの側面、及び前記第１レンズの側面の上端から一直線に延長される第１レンズの上面を備えることを特徴とする請求項１に記載のＬＥＤ照明装置。
【請求項３】
前記第１レンズは、高さ方向の長さが幅方向の長さより長くなるように形成されることを特徴とする請求項１に記載のＬＥＤ照明装置。
【請求項４】
前記粗面は、前記第１レンズを介し拡散された光が乱反射されるよう前記第１レンズ側に突出した複数個の微細突起を備えることを特徴とする請求項１に記載のＬＥＤ照明装置。
【請求項５】
前記微細突起は、凸形状または三角形断面を有する形状に形成されることを特徴とする請求項４に記載のＬＥＤ照明装置。
【請求項６】
前記第２レンズで前記第１レンズの上面と対応する部分は、前記第１レンズ側に陷沒してＵ−字状の断面を有することを特徴とする請求項２に記載のＬＥＤ照明装置。
【請求項７】
前記Ｕ−字状の断面を有する第２レンズ部分は、下面の厚さが側面の厚さより厚いことを特徴とする請求項６に記載のＬＥＤ照明装置。
【請求項８】
前記第２レンズで前記第１レンズの上面と対応する部分は、厚さが厚くなるように前記第１レンズ側に突出したことを特徴とする請求項２に記載のＬＥＤ照明装置。
【請求項９】
前記第１レンズの底面には、前記ＬＥＤを収容することができる収容溝が形成されることを特徴とする請求項２に記載のＬＥＤ照明装置。
【請求項１０】
前記第１レンズと前記第２レンズの間には所定の空間が備えられ、前記空間には光の散乱を助ける立体形状の散乱補助体が備えられることを特徴とする請求項１に記載のＬＥＤ照明装置。
【請求項１１】
前記ＬＥＤは、円形に複数個が備えられることを特徴とする請求項１に記載のＬＥＤ照明装置。
【請求項１２】
前記第１レンズの中心部には、高さ方向に中空が形成されることを特徴とする請求項１１に記載のＬＥＤ照明装置。
【請求項１３】
前記第１レンズの底面と前記第２レンズを連結するレンズ連結部をさらに含み、前記レンズ連結部の上面には前記粗面から乱反射された光を上方へ反射させるための反射板が備えられることを特徴とする請求項２に記載のＬＥＤ照明装置。
【発明の詳細な説明】
【技術分野】
【０００１】
本発明はＬＥＤ照明装置に関し、より詳しくは眩しさが発生せず眺める方向に従い光の明るさに差がないながらも、インテリア的な効果に優れたＬＥＤ照明装置に関する。
【背景技術】
【０００２】
電源を供給され電気エネルギを光エネルギに変換させる照明灯には、通常白熱電球や蛍光灯が用いられる。前記白熱電球は寿命が短く消費電力が非常に高いとの欠点があるが、点灯のための付随的な装置が不要であり、照明器具との組合せが容易であるなどの利点があるので、現在までも広く用いられている。さらに、前記蛍光灯はフィラメントを用いる白熱電球に比べ効率が高く寿命が長いとの利点があるので、白熱電球とともに大衆的に広く用いられている。そして、最近にはハロゲンサイクルを利用したヨード電球、高効率ハロゲン灯、陽光ランプなどが開発され実用化されている。
【０００３】
一方、ＬＥＤ（Light Emitting Diode）は従来の光源に比べ小型で、寿命が長く、電気エネルギが光エネルギに直接変換されるので、電力消耗が少なく効率がよいものと知られている。しかし、ＬＥＤは光の直進性には優れるが、光の拡散性は不良なので、広い面積を照射しなければならない一般の室内灯には適しないとの問題がある。
【０００４】
さらに、図１（ＬＥＤから照射された光の光量を、光源を中心にベクトル形式に図式した図）に示されているように、ＬＥＤ１０から照射された光は、その進行経路に伴い光量において差が発生するので、眺める方向に従い光の明るさに差が発生し得る。これにより、ＬＥＤ１０で照明装置を構成する場合、光が均等に照射されないこともあるとの問題がある。さらに、ＬＥＤ１０から照射された光を使用者がそのまま眺める場合、角膜に損傷をもたらし得るとの問題がある。
【発明の概要】
【発明が解決しようとする課題】
【０００５】
したがって、本発明は前記のような問題点を解決するため案出されたものであって、本発明の一課題は、ＬＥＤから照射された光の直進性を補って光源伝達の範囲を拡張することにより、ＬＥＤを光源に用いるとしても広い面積を照射することができながらも、光の照度が光源伝達の範囲全体で均一であり得るＬＥＤ照明装置を提供することにある。
【０００６】
さらに、本発明の他の課題は、ＬＥＤから照射された光が立体化して放出でき、インテリア的な効果も優れたＬＥＤ照明装置を提供することにある。
【課題を解決するための手段】
【０００７】
本発明に係るＬＥＤ照明装置は、外部へ光を照射するＬＥＤ、ＬＥＤが下面側に備えられながら凸形状に形成され、下面側を介しＬＥＤから入射された光を外側へ拡散させる第１レンズ、及び第１レンズの外側に備えられながら、内面に第１レンズを介し拡散した光を乱反射させる粗面が形成された第２レンズを含む。
【０００８】
ここで、前記第１レンズはＬＥＤから照射された光が入射する第１レンズの底面、第１レンズの底面から上方へ延長されるとともに、第１レンズの底面の中心部で第１レンズの底面と直交する線からの水平距離が上方に行くほど減少する形態を有する第１レンズの側面、及び第１レンズの側面の上端から平行に延長される第１レンズの上面を備えることができる。
【０００９】
さらに、前記第１レンズは高さ方向の長さが幅方向の長さより長くなるように形成することができ、前記粗面は第１レンズを介し拡散した光が乱反射されるよう第１レンズ側に突出した複数個の微細突起を備えることができる。このとき、前記微細突起は凸形状または三角形断面を有する形状に形成することができる。
【００１０】
一方、前記第２レンズで前記第１レンズの上面と対応する部分は、前記第１レンズ側に陷沒してＵ−字状の断面を有し得る。このとき、前記Ｕ−字状の断面を有する第２レンズ部分は、下面の厚さが側面の厚さより厚いことがある。その他にも、前記第２レンズで前記第１レンズの上面と対応する部分は、厚さが厚くなるように前記第１レンズ側に突出し得る。
【００１１】
前記第１レンズの底面には、前記ＬＥＤを収容することができる収容溝が形成でき、前記第１レンズと前記第２レンズの間には所定の空間が備えられ得る。このとき、前記空間には光の散乱を助ける立体形状の散乱補助体が備えられ得る。
【００１２】
さらに、前記ＬＥＤは円形に複数個が備えられ得る。このとき、前記第１レンズの中心部には高さ方向に中空が形成され得る。その他にも、前記第１レンズの底面と前記第２レンズを連結するレンズ連結部をさらに含むことができ、前記レンズ連結部の上面には前記粗面から乱反射された光を上方へ反射させるための反射板が備えられ得る。
【発明の効果】
【００１３】
本発明に係るＬＥＤ照明装置は、第１レンズが光の進行経路側に凸状に突出した形状を有することにより、点光源のＬＥＤを面光源に変化させて光源伝達範囲を拡張させることができる。さらに、本発明に係るＬＥＤ照明装置は、第１レンズを介し拡散された光が第２レンズの粗面を介し乱反射されたあと外部へ放出されるのでＬＥＤから照射された光が立体化でき、ＬＥＤから照射された光が第１レンズと第２レンズを全て通過するように構成されるので、使用者が光源を直接眺めても角膜に損傷を発生させないようにすることができる。
【図面の簡単な説明】
【００１４】
【図１】ＬＥＤから照射された光の光量を、光源を中心にベクトル形式に図式した図である。
【図２】本発明の実施形態１に係るＬＥＤ照明装置を示している斜視図である。
【図３】図２に示した照明装置を上側から眺めた透視図である。
【図４】図２のI−I線に沿う断面図である。
【図５】ＬＥＤから第１レンズへ入射した光の進行経路と、進行経路に伴う光の光量を図式化した断面図である。
【図６】第１レンズと第２レンズの間の空間に散乱補助体が備えられた形態のＬＥＤ照明装置を示している断面図である。
【図７】第１レンズと第２レンズの間の空間に散乱補助体が備えられた形態のＬＥＤ照明装置を示している断面図である。
【図８】本発明の実施形態２に係るＬＥＤ照明装置を示している斜視図である。
【図９】図８に示した照明装置を上側から眺めた透視図である。
【図１０】図８のII−II線に沿う断面図である。
【図１１】本発明の実施形態３に係るＬＥＤ照明装置を示している斜視図である。
【図１２】図１１に示した照明装置を上側から眺めた透視図である。
【図１３】図１１のIII−III線に沿う断面図である。
【発明を実施するための形態】
【００１５】
以下、図を参照しながら本発明の好ましい実施形態を詳しく説明する。しかしながら、本発明が実施形態により制限されるか限定されるものではない。参考までに、本説明で同一の番号は実質的に同一の要素を指し、前記規則の下で他の図に記載された内容を引用して説明することができ、当業者に自明であると判断されるか繰り返される内容は省略され得る。
【００１６】
以下、実施形態１のＬＥＤ照明装置について説明する。
【００１７】
図２は、本発明の実施形態１に係るＬＥＤ照明装置を示している斜視図である。図３は図２に示した照明装置を上側で眺めた透視図であり、図４は図２のI−I線に沿う断面図である。図２〜図４に示されているように、本実施形態に係るＬＥＤ照明装置はＬＥＤ１１０、第１レンズ１３０及び第２レンズ１５０を含んで構成される。
【００１８】
ＬＥＤ１１０から照射された光は、第１レンズ１３０の下面側から前記第１レンズ１３０に入射される。このため、前記ＬＥＤ１１０は前記第１レンズ１３０の下面側に備えられ得る。ここで、前記第１レンズ１３０の下面側とは、前記第１レンズ１３０の底面の直ぐ下側を意味することもあるが、前記第１レンズ１３０の底面にＬＥＤ１１０が収容できる収容溝１３８が形成される場合（図４を参照）、前記底面に形成された収容溝１３８側を意味することもある。
【００１９】
一方、上記下面側を介し第１レンズ１３０に入射された光は、第１レンズ１３０を介し第１レンズ１３０の外側へ拡散され得る。このため、前記第１レンズ１３０は、図４に示されているように凸形状に形成され得る。即ち、図４に示されているように、前記第１レンズ１３０は光の進行経路側（図４で上側方向）へ凸状に突出した形状を有し得る。このような形状により、第１レンズ１３０へ入射した光は、第１レンズ１３０を透過しながら第１レンズ１３０の外側界面で外部に屈折し拡散でき、これに伴いＬＥＤ１１０を照明装置の光源に用いるとしても光源伝達の範囲が広くなり得る。
【００２０】
そして、前記第１レンズ１３０は高さ方向の長さ（Ｌ１）が幅方向の長さ（Ｌ２）より長くなるように形成することができる。第１レンズ１３０をこのように構成すれば、ＬＥＤ１１０から照射された光がその進行経路に伴い第１レンズ１３０を透過する厚さにおいて差が発生するので、ＬＥＤ１１０から照射された光が均一な照度で外部へ放出され得る。
【００２１】
図５を参照しながらこれに対し詳述すれば、次の通りである。図５は、ＬＥＤから第１レンズに入射した光の進行経路と、進行経路に伴う光の光量を図式化した断面図である。ＬＥＤ１１０の場合、通常鉛直上方に（図５基準）進む光の光量が最も大きく、鉛直上方からの角度が大きい経路を経由する光であるほど、その光量が少なくなる（図１参照）。しかし、ＬＥＤ１１０を囲んでいる第１レンズ１３０を高さ方向の長さ（Ｌ１）が幅方向の長さ（Ｌ２）より長くなるように形成すれば、最も強い光は第１レンズ１３０の最も厚い部分を、最も弱い光は第１レンズ１３０の相対的に薄い部分を通過することになるので、光の進行経路に伴う光の強度が補正され得る。
【００２２】
結局、第１レンズ１３０を光の進行経路側（図４で上側方向）へ凸状に突出した形状、また高さ方向の長さ（Ｌ１）が幅方向の長さ（Ｌ２）より長い形状に形成すれば、点光源のＬＥＤ１１０を面光源に変化させることができるだけでなく、ＬＥＤ１１０から照射された光を均一な光量で第１レンズ１３０の外側へ放出することができる。但し、第１レンズの高さ方向の長さは照明装置の大きさなどに応じて制限があり得、このような場合、依然として鉛直上方に進む光は他の経路を進む光に比べ照度が高いことがある。したがって、第１レンズの高さ方向の長さをこれ以上延長させないにも拘わらず、光の光量を調節することができる手段が必要になり得る（このような手段に対しては後述する）。
【００２３】
一方、前記第１レンズ１３０は、図４に示されているように第１レンズの底面１３２、第１レンズの側面１３４及び第１レンズの上面１３６を含むことができる。第１レンズの底面１３２はＬＥＤ１１０から照射された光が入射される面であり、前述した第１レンズ１３０の下面に対応される。このような第１レンズの底面１３２には、ＬＥＤ１１０が収容できる収容溝１３８が形成され得る。
【００２４】
第１レンズの側面１３４は、前記第１レンズの底面１３２から上方へ延長されながら、前記第１レンズの底面１３２の中心部で前記第１レンズの底面１３２と直交する線（Ｃ）からの水平距離（Ｗ）が上方に行くほど減少する形態を有する面を言う。このような第１レンズの側面１３４を有する第１レンズ１３０は、通常円錐台と類似する形状を有し得る。即ち、第１レンズの底面１３２の中心部で第１レンズの底面１３２と直交する線（Ｃ）から第１レンズの側面１３４までの半径が徐々に減少する形態の回転体形状であり得る。これに伴い、第１レンズ１３０の断面上で一方の側面は緩慢な傾斜を有する弧形状であり得る。第１レンズの上面１３６は、第１レンズの側面１３４の上端からフラットに延びる面によって構成される。
【００２５】
但し、第１レンズの側面１３４の形状が前記のような回転体を構成する形状に限定されるものではなく、ＬＥＤ１１０から入射された光を拡散させることができる形状、即ち前記線（Ｃ）から第１レンズの側面１３４までの水平距離（Ｗ）が上方（図４を基準に上側）に行くほど減少する形状であれば、前記第１レンズの側面１３４の形状で採用され得る。
【００２６】
一方、第１レンズの側面１３４の形状、即ち第１レンズ１３０の断面上で一方の側面の形状（通常、弧形状）は、その傾斜度などが調節されることにより（例えば、緩慢な傾斜の弧形状または急激な傾斜の弧形状など）第１レンズ１３０の外側へ拡散される光を適宜分配することができる。
【００２７】
前記にように拡散された光の少なくとも一部は、第１レンズ１３０の外側に備えられた第２レンズ１５０の粗面１５２を介し乱反射され得る。このような粗面１５２は、ブラスト（ｂｌａｓｔ）工程または表面処理などを介し形成され得る。ブラスト工程は、小さい粒子形態の研削材を高圧で材料の表面に噴射することにより材料の表面を粗くする工程である。このようなブラスト工程は、砂などを研削材に用いるサンドブラスト、銅素材のグリットなどを研削材に用いるグリットブラストまたは特殊鋼を研削材に用いるショットブラストなどに分類され得る。
【００２８】
第２レンズ１５０の材質等に従い適切なブラスト工程を行なうことにより、第２レンズ１５０の内面に粗面１５２を形成することができる。但し、粗面１５２の形成方法はこれに限定されず、酸処理などのような表面処理を介し前記粗面１５２が形成され得る。即ち、第２レンズ１５０の内面を酸に浸漬して第２レンズ１５０の内面を腐食させることにより粗面１５２を得ることもできる。
【００２９】
このような粗面１５２は、第２レンズ１５０の内面全部に形成することができるが、特定の領域に局部的に形成することもできる。粗面１５２を全体的に形成するか、または局部的に形成するかの可否は第１レンズ１３０から拡散された光の必要な反射程度に応じて決定され得る。第１レンズ１３０の形状（これに伴う光の拡散程度）や光の進行方向などを考慮するとき、第２レンズ１５０の内面に局部的にのみ粗面１５２が形成されても、第１レンズ１３０から拡散された光が十分乱反射を起こしたあと第２レンズ１５０の外側へ放出することができれば、第２レンズ１５０の内面中ある特定部分にのみ粗面１５２が形成され得る。
【００３０】
前記粗面１５２は形成方法に従い多様な形状の断面を有することができ、規則的形状の断面が繰り返されるか、または不規則的形状の断面が繰り返される形態を有することができる。例えば、前記粗面１５２は第２レンズ１５０の内側に突出した複数個の微細突起形態に形成され得る。このような微細突起１５４は、図４に示されているようにその断面が三角形形状の形態であり得る。しかし、微細突起１５４の形状がこれに限定されるものではない。例えば、微細突起１５４は第２レンズ１５０の内側に凸状に突出した形状であり得る。
【００３１】
図４を参照しながら粗面１５２の役割を説明すれば、第１レンズ１３０を介し拡散された光は、少なくともその一部が粗面１５２に形成された微細突起１５４により不規則な方向に反射され得る。このような光の反射は反復的に発生することがあり、光の反射が発生するほどＬＥＤ１１０から照射された光は立体化され得る。このように立体化された光は、結局第２レンズ１５０の外側に放出され得る。この他にも、ＬＥＤ１１０から照射された光は第１レンズ１３０と第２レンズ１５０を全て通過しなければならないので、使用者が光源を直接眺めるとしても角膜に損傷を発生させないようにすることができる。
【００３２】
一方、このような反射過程中に光の損失が発生することを防止するため、本実施形態に係るＬＥＤ照明装置には反射板（図示省略）がさらに備えられ得る。このような反射板は、第１レンズの底面１３２と第２レンズ１５０を連結するレンズ連結部１６０の上面に備えられ得る。粗面１５２を介し反射された光が、照明装置の後面などのように光の放出が好ましくない方向へ進む場合でも、反射板により再び前面に反射することができるので、光の損失が最少化され得る。
【００３３】
このような反射板の位置は、レンズ連結部１６０の上面に限定されるものではなく、照明装置の形状や照明装置の設置位置などに従い光の放出が望ましくない方向に備えられ得る。さらに、前記反射板はレンズ連結部１６０の上面全部に備えることができるが、レンズ連結部１６０の一部にのみ備えることもできる。但し、照明装置の後面を含む照明装置の全体の範囲に亘って光の発散が必要な場合は、前記のような反射板が備えられないこともある。
【００３４】
一方、第２レンズ１５０で第１レンズの上面１３６と対応する部分１５６は、第１レンズ１３０側に陷沒するように構成することができる。即ち、図４に示されているように、第２レンズ１５０で第１レンズの上面１３６と対応する部分１５６は、その断面がＵ−字状になるように形成することができる。このとき、前記Ｕ−字状の断面を有する第２レンズ部分１５６は、下面の厚さが側面の厚さより厚くなるように形成することができる。第２レンズ１５０をこのように形成すれば、ＬＥＤ１１０から鉛直上方に進んだ光が第１レンズ１３０を通過した後も、その照度が他の経路を進んだ光の照度より依然としてさらに高いとしても、最終的に第２レンズ１５０の外側に放出される時は光の照度が全体的に均一になり得る。
【００３５】
本実施形態に係るＬＥＤ照明装置は、インテリア的な効果を付け加えるため、図６  及び図７に示されているように第１レンズ１３０と第２レンズ１５０の間の空間に散乱補助体１７２、１７４を含むことができる。図６及び図７は、第１レンズと第２レンズの間の空間に散乱補助体が備えられた形態のＬＥＤ照明装置を示している断面図である。前記散乱補助体１７２、１７４は、立体形状を有する透明キュービックや玉などでもあり得る。但し、散乱補助体が前記のような立体形状の物体に限定されるものではなく、光の散乱を助けることができる流体などでもあり得る。結局、第１レンズ１３０を介し拡散された光、または第２レンズ１５０の粗面１５２を介し反射された光などは前記散乱補助体１７２、１７４により散乱でき、これに伴い最終的に第２レンズ１５０の外側に放出された光は、インテリア的により優れた感じを有することができる。
【００３６】
以下、実施形態２のＬＥＤ照明装置について説明する。
【００３７】
図８は、本発明の実施形態２に係るＬＥＤ照明装置を示している斜視図である。図９は図８に示した照明装置を上側から眺めた透視図であり、図１０は図８のII−II線に沿う断面図である。図８〜図１０に示されているように、本実施形態に係るＬＥＤ照明装置はＬＥＤ２１０、第１レンズ２３０及び第２レンズ２５０を含んで構成される。一方、前述の構成と同一の（または相当する）部分に対しては同一の（または相当する）参照符号を与え、それに対する詳細な説明は省略する。
【００３８】
本実施形態に係るＬＥＤ照明装置には、４つのＬＥＤ２１０が環状に備えられる。このとき、各ＬＥＤ２１０は第１レンズ２３０の下面の中心部を基準に等間隔に配置される。本実施形態では、第１レンズ２３０の下面に前記４つのＬＥＤ２１０をそれぞれ収容することができる収容溝２３８が形成される。
【００３９】
本実施形態において第１レンズ２３０及び第２レンズ２５０の形状や機能は、前述の第１実施形態の第１レンズ１３０及び第２レンズ１５０と類似する。但し、本実施形態の第１レンズ２３０の場合、その中心部に高さ方向に中空２３９が形成されるとの点で第１実施形態の第１レンズ１３０と差別化される。前記中空２３９は、第１レンズ２３０の全体形状と似て、第１レンズ２３０の下面の中心部で第１レンズ２３０の下面と直交する線から中空２３９の縁部までの水平距離が上方に行くほど減少する形態を有することができる。
【００４０】
第１レンズ２３０の内側に前記のような形状の中空２３９が形成されれば、第１レンズ２３０の製造がより容易になり得る。通常、第１レンズ２３０は射出成型で形成されるが、幾多のＬＥＤ２１０が用いられ第１レンズ２３０の全体の大きさが拡大されると、射出成型を介し第１レンズ２３０を製造するのが容易でないこともある。しかし、第１レンズ２３０の中心部に高さ方向に中空２３９を形成すれば、このような製造上の不便さを除去することができる。
【００４１】
以下、実施形態３のＬＥＤ照明装置について説明する。
【００４２】
図１１は、本発明の実施形態３に係るＬＥＤ照明装置を示している斜視図である。図１２は図１１に示した照明装置を上側から眺めた透視図であり、図１３は図１１のIII−III線に沿う断面図である。図１１〜図１３に示されているように、本実施形態に係るＬＥＤ照明装置はＬＥＤ３１０、第１レンズ３３０及び第２レンズ３５０を含んで構成される。一方、前述の構成と同一の（または相当する）部分に対しては同一の（または相当する）参照符号を与え、それに対する詳細な説明は省略する。
【００４３】
本実施形態に係るＬＥＤ照明装置には６つのＬＥＤ３１０が環状に備えられる。このとき、各ＬＥＤ３１０は第１レンズ３３０の下面の中心部を基準に等間隔に配置される。本実施形態において、第１レンズ３３０及び第２レンズ３５０の形状や機能は、前述の第１実施形態の第１レンズ１３０及び第２レンズ１５０と類似する。但し、本実施形態の第１レンズ３３０の場合、高さ方向の長さが幅方向の長さより短くなるように形成され、第２レンズ３５０の場合、第１レンズ３３０の上面と対応する部分３５６が第１レンズ３３０側に突出するように形成されるとの点に差がある。
【００４４】
照明装置には大きさに伴う制限、またはデザイン的な制限がいつもあり得る。このような制限により、第１レンズ３３０の高さを十分確保することができないこともある。このような場合、第１レンズ３３０の上面と対応する第２レンズ部分３５６を第１レンズ３３０側に突出するように形成すれば、ＬＥＤ３１０から照射された光の照度を均一に補正することができる。即ち、第１レンズ３３０の上面と対応する第２レンズ部分３５６の厚さが厚くなるように前記対応部分３５６を第１レンズ３３０側に突出するように形成すれば、第１レンズ３３０を鉛直上方に通過した光が再び他の部分に比べ厚い厚さを有する第２レンズ部分３５６を通過しなければならないので、全体的には光の照度が均一に補正され得る。
【００４５】
上述したように、本発明の好ましい実施形態を参照しながら説明したが、当該技術分野の熟練した当業者であれば、請求範囲に記載された本発明の思想及び領域から外れない範囲内で、本発明を多様に修正及び変更させ得ることを理解できるはずである。したがって、本発明思想は特許請求の範囲によってのみ把握されなければならず、この均等または等価的な変形全てが本発明思想の範疇に属すると言えるはずである。
【符号の説明】
【００４６】
１１０  ＬＥＤ                                      
１３０  第１レンズ
１３２  第１レンズの底面              
１３４  第１レンズの側面
１３６  第１レンズの上面              
１３８  収容溝
１５０  第２レンズ                          
１５２  粗面
１５４  微細突起                            
１６０  レンズ連結部
【図１】
2010114059.tif 000003
【図２】
2010114059.tif 000004
【図３】
2010114059.tif 000005
【図４】
2010114059.tif 000006
【図５】
2010114059.tif 000007
【図６】
2010114059.tif 000008
【図７】
2010114059.tif 000009
【図８】
2010114059.tif 000010
【図９】
2010114059.tif 000011
【図１０】
2010114059.tif 000012
【図１１】
2010114059.tif 000013
【図１２】
2010114059.tif 000014
【図１３】
2010114059.tif 000015